(57)【特許請求の範囲】
【請求項１】
筐体と、原稿を支持する支持面とを有し、前記支持面に支持された原稿の画像を読み取る読取部を前記筐体内に収容する読取ユニットと、
前記読取ユニットよりも下方に設けられ、シートに画像を形成する画像形成部を収容する記録ユニットと、
前記記録ユニットに対して前記読取ユニットを第１方向に延びる第１軸心周りで回動可能に連結する第１ヒンジと、を備え、
前記読取ユニットは、前記記録ユニットに接近して前記記録ユニットを上方から覆う第１位置と、前記記録ユニットから離間して前記記録ユニットの上方を開放する第２位置との間で回動する複合機であって、
前記第１ヒンジは、前記読取ユニットに支持される第１支持部と、前記記録ユニットに支持される第２支持部と、前記第１支持部と前記第２支持部との間に設けられ、前記第１軸心を形成する第１回動部とを含み、
前記筐体は、前記第１軸心に隣接して前記第１方向に延び、かつ前記支持面に直交する第２方向に延びる特定側面と、前記特定側面から前記読取部に向かう第３方向に凹む収容部と、を有し、
前記第１支持部は、前記第１回動部を含む第１端部と、前記第１端部から前記第３方向に離間する第２端部とを含み、
前記第２端部は、前記収容部に収容される被収容部を有し、
前記第１支持部は、前記第１回動部よりもさらに前記第２端部から離れた位置に設けられ、前記第１端部から前記第２方向に延設される突出部を有し、
前記筐体は、前記突出部に結合し、前記突出部が前記筐体に対して前記第３方向とは反対方向に離間することを規制する結合手段を有し、
前記結合手段は、前記第３方向において前記突出部を通過して前記筐体にねじ込まれるネジであり、
前記複合機は、前記読取ユニットよりも上方に設けられたカバー部と、
前記読取ユニットに対して前記カバー部を前記第１方向に延びる第２軸心周りで回動可能に連結する第２ヒンジと、を備え、
前記カバー部は、前記支持面に接近して前記支持面を上方から覆う第３位置と、前記支持面から離間して前記支持面の上方を開放する第４位置との間で回動し、
前記第２ヒンジは、前記カバー部に支持される第３支持部と、前記読取ユニットに支持される第４支持部と、前記第３支持部と前記第４支持部との間に設けられ、前記第２軸心を形成する第２回動部とを含み、
前記筐体には、前記第２軸心に隣接する位置で、前記第２方向における前記カバー部とは反対側に向けて凹む凹部が形成され、
前記第４支持部は、前記凹部に挿通され、
前記第４支持部における前記第２軸心から前記第２方向に離間する端部は、前記第３方向から見て、前記ネジと重なっており、
前記第１ヒンジの前記第２支持部と、前記第２ヒンジの前記第４支持部とは、上下方向に重なる位置に配置されていることを特徴とする複合機。
【請求項２】
前記読取ユニットは、前記突出部及び前記結合手段を外から覆う外装カバーを有している請求項１記載の複合機。
【発明の詳細な説明】
【技術分野】
【０００１】
本発明は複合機に関する。
【背景技術】
【０００２】
特許文献１に従来の複合機の一例である画像入出力装置が開示されている。この画像入出力装置は、スキャナユニットと記録ユニットとヒンジとを備えている。
【０００３】
スキャナユニットは、スキャナハウジングと原稿台とを有している。原稿台は、スキャナハウジングの上部に設けられている。原稿台の上面は、原稿を支持する支持面とされている。スキャナユニットは、支持面に支持された原稿の画像を読み取る読取部をスキャナハウジング内に収容している。記録ユニットは、スキャナユニットよりも下方に設けられている。記録ユニットは、記録ハウジングを備え、シートに画像を形成する液体噴射記録ヘッドを記録ハウジング内に収容している。記録ハウジングの上面には、メンテナンス領域を露出させる開口部が形成されている。ヒンジは、記録ユニットに対してスキャナユニットを所定の回動軸心周りで回動可能に連結している。
【０００４】
この画像入出力装置では、スキャナユニットが記録ユニットに接近して記録ユニットを上方から覆う位置にある状態で、記録ユニットのメンテナンス領域が閉鎖される。その一方、スキャナユニットが記録ユニットから離間して記録ユニットの上方を開放する位置に回動すると、記録ユニットの開口部を介してメンテナンス領域が開放される。
【先行技術文献】
【特許文献】
【０００５】
【特許文献１】特開２００６−１２９３６９号公報
【発明の概要】
【発明が解決しようとする課題】
【０００６】
ところで、特許文献１開示の画像入出力装置では、ヒンジの具体的構成が不明であるが、ヒンジは、一般的に、スキャナユニットに支持される第１支持部と、記録ユニットに支持される第２支持部と、第１支持部と第２支持部との間に設けられ、回動軸心を形成する回動部とを含んでいる。そして、第１支持部は、通常、スキャナハウジングの下面にネジによって固定される。しかしながら、このような構成では、第１支持部とスキャナハウジングの下面との間に、ネジで両者を固定するための部分を設けておく必要があり、複合機を上下方向において小型化する上での妨げになるという問題がある。
【０００７】
本発明は、上記従来の実情に鑑みてなされたものであって、上下方向の小型化を実現できる複合機を提供することを目的とする。
【課題を解決するための手段】
【０００８】
本発明の複合機は、筐体と、原稿を支持する支持面とを有し、前記支持面に支持された原稿の画像を読み取る読取部を前記筐体内に収容する読取ユニットと、
前記読取ユニットよりも下方に設けられ、シートに画像を形成する画像形成部を収容する記録ユニットと、
前記記録ユニットに対して前記読取ユニットを第１方向に延びる第１軸心周りで回動可能に連結する第１ヒンジと、を備え、
前記読取ユニットは、前記記録ユニットに接近して前記記録ユニットを上方から覆う第１位置と、前記記録ユニットから離間して前記記録ユニットの上方を開放する第２位置との間で回動する複合機であって、
前記第１ヒンジは、前記読取ユニットに支持される第１支持部と、前記記録ユニットに支持される第２支持部と、前記第１支持部と前記第２支持部との間に設けられ、前記第１軸心を形成する第１回動部とを含み、
前記筐体は、前記第１軸心に隣接して前記第１方向に延び、かつ前記支持面に直交する第２方向に延びる特定側面と、前記特定側面から前記読取部に向かう第３方向に凹む収容部と、を有し、
前記第１支持部は、前記第１回動部を含む第１端部と、前記第１端部から前記第３方向に離間する第２端部とを含み、
前記第２端部は、前記収容部に収容される被収容部を有していることを特徴とする。
【０００９】
本発明の複合機では、筐体の収容部は、特定側面から読取部に向かう第３方向に凹んでいる。第１支持部の第２端部は、第１端部から第３方向に離間している。そして、第２端部の被収容部が収容部に収容される。つまり、本発明の複合機では、筐体に第１支持部の第２端部が挟持される構成としている。このため、第１支持部を筐体の下面にネジによって固定する必要がなくなり、筐体の下面からネジ固定の部分を省略できるので、筐体を上下方向において薄くできる。
【００１０】
したがって、本発明の複合機では、上下方向の小型化を実現できる。また、ヒンジの組付け時にネジの固定作業を省略又は簡略できるので、組付作業を簡素化できる
【図面の簡単な説明】
【００１１】
【図１】実施例の複合機の斜視図である。
【図２】実施例の複合機の模式正面図である。
【図３】実施例の複合機に係り、第２位置に回動した読取ユニットを主に示す側面図である。
【図４】実施例の複合機の上面図である。
【図５】図４のＡ−Ａ断面であって、第１、２ヒンジ、第１位置にある読取ユニット及び第３位置にあるカバー部とを主に示す部分断面図である。
【図６】図５と同様の断面図であって、第１、２ヒンジ及び第２位置に回動した読取ユニットとを主に示す部分断面図である。
【図７】図５と同様の断面図であって、第１、２ヒンジ及び第４位置に回動したカバー部を主に示す部分断面図である。
【図８】読取ユニットの筐体と第１ヒンジとを主に示す部分斜視図である。
【図９】読取ユニットの筐体における特定側面及び収容部を主に示す部分斜視図である。
【図１０】第１ヒンジの斜視図である。
【図１１】第１ヒンジの側面図である。
【図１２】第１ヒンジの上面図である。
【図１３】変形例の複合機に係り、図５と同様の断面を示す部分断面図である。
【図１４】図１３のＢ−Ｂ断面を示す部分断面図である。
【発明を実施するための形態】
【００１２】
以下、本発明を具体化した実施例を図面を参照しつつ説明する。
【００１３】
（実施例）
図１に示すように、実施例の複合機１は、本発明の複合機の具体的態様の一例である。図１では、操作パネル７Ｐが配置される側を装置の前方と規定し、操作パネル７Ｐに向かった場合に左手に来る側を左方、右手に来る側を右方と規定して、前後、左右及び上下の各方向を表示する。そして、図２以降の各図に示す各方向は、全て図１に示す各方向に対応させて表示する。以下、図１等に基づいて、複合機１が備える各構成要素について説明する。
【００１４】
＜全体構成＞
図１〜図８に示すように、複合機１は、読取ユニット８、記録ユニット７、カバー部９、第１ヒンジ１００及び第２ヒンジ２００を備えている。図１及び図２に示すように、記録ユニット７及び読取ユニット８はそれぞれ、扁平な略箱状体である。記録ユニット７は、読取ユニット８よりも下方に設けられている。カバー部９は、読取ユニット８よりも上方に設けられている。すなわち、記録ユニット７、読取ユニット８及びカバー部９が上下方向に積み重なった状態になっている。
【００１５】
図４に示すように、複合機１を上方から見た場合、前後方向よりも左右方向が長く形成された略長方形となっている。第１ヒンジ１００及び第２ヒンジ２００は、複合機１の後端部であって左右の角部に、それぞれ一対設けられている。第１ヒンジ１００及び第２ヒンジ２００は、上下方向に略重なる位置に設けられる。よって図４の上面図において、第１ヒンジ１００と第２ヒンジ２００は、略同じ位置にある。第１ヒンジ１００及び第２ヒンジ２００の具体的構成については後述する。また、左方の第１ヒンジ１００と右方の第１ヒンジ１００とは同一構成である。同様に、左方の第２ヒンジ２００と右方の第２ヒンジ２００とは同一構成である。このため、以下の説明では、右方の第１ヒンジ１００及び第２ヒンジ２００について主に説明し、左方の第１ヒンジ１００及び第２ヒンジ２００についての説明は適宜省略する。
【００１６】
図１及び図３〜図７に示すように、第１ヒンジ１００は、記録ユニット７に対して読取ユニット８を第１軸心Ｘ１００周りで回動可能に連結している。第１軸心Ｘ１００は、左右方向である第１方向Ｄ１に延びている。第１ヒンジ１００は、記録ユニット７に対する読取ユニット８の回動角度を任意の位置で保持可能なフリーストップヒンジである。
【００１７】
読取ユニット８は、第１ヒンジ１００によって、図１、図２、図５及び図７に示す第１位置と、図３及び図６に示す第２位置との間で回動する。読取ユニット８は、図１、図２、図５及び図７に示す第１位置にある状態で、記録ユニット７に接近して記録ユニット７を上方から覆う。その一方、読取ユニット８は、図３及び図６に示す第２位置にある状態で、記録ユニット７から離間して記録ユニット７の上方を開放する。
【００１８】
図１及び図３〜図７に示すように、第２ヒンジ２００は、読取ユニット８に対してカバー部９を第２軸心Ｘ２００周りで回動可能に連結している。第２軸心Ｘ２００も、第１方向Ｄ１に延びている。第２ヒンジ２００も、読取ユニット８に対するカバー部９の回動角度を任意の位置で保持可能なフリーストップヒンジである。
【００１９】
カバー部９は、第２ヒンジ２００によって、図１〜図３、図５及び図６に示す第３位置と、図７に示す第４位置との間で回動する。カバー部９は、図１〜図３、図５及び図６に示す第３位置にある状態で、後述する支持面８１Ａに接近して支持面８１Ａを上方から覆う。その一方、カバー部９は、図７に示す第４位置にある状態で、支持面８１Ａから離間して支持面８１Ａの上方を開放する。これにより、ユーザは読取対象の原稿を支持面８１Ａに支持させることができる。
【００２０】
図２に示すように、記録ユニット７内には、画像形成部５が収容されている。画像形成部５は、インクジェット方式又はレーザ方式等によりシートに画像を形成する。図１に示すように、記録ユニット７の上面は、記録ユニット７内の画像形成部５によって画像が形成されたシートが排出される排出部７Ａを構成している。また、排出部７Ａと読取ユニット８の下面との間には空間が形成されており、ユーザが排出部７Ａに排出されたシートを取り出すための取出口７Ｂとなっている。記録ユニット７の前面は、読取ユニット８の前面を覆うように上方に突出しており、その上部分に、タッチパネル等である操作パネル７Ｐが設けられている。図３に示すように、読取ユニット８が図３及び図６に示す第２位置に回動すると、記録ユニット７の上面であって、排出部７Ａの後方となる位置に開口する図示しないメンテナンス領域が開放される。この開口を介して、画像形成部５のメンテナンス作業を実施可能となる。
【００２１】
図１〜図３及び図５〜図９に示すように、読取ユニット８は、スキャナハウジング８０を有している。スキャナハウジング８０は、本発明の「筐体」の一例である。図８及び図９に示すように、スキャナハウジング８０は、底部を有し、かつ前後左右に壁を備えた浅い箱形状のスキャナベース８５を備えている。スキャナベース８５の上方は開放されている。また、スキャナハウジング８０は、スキャナベース８５を上方から覆うスキャナフレーム８７を備えている。スキャナフレーム８７は、中央部に開口を備える枠形状である。スキャナハウジング８０は、スキャナベース８５とスキャナフレーム８７とが組み合わされてなる。スキャナベース８５とスキャナフレーム８７とは、図２及び図８に示すプラテンガラス８１を挟持した状態で組み合わされる。プラテンガラス８１は、スキャナフレーム８７に形成された開口から露出し、読取ユニット８の上面に位置する。詳細については、後述する。
【００２２】
図５〜図９に示すように、スキャナベース８５は、壁部８９を有している。壁部８９は、スキャナベース８５の後方の壁を構成しており、前後方向に厚みを有する部材である。壁部８９は、前面８９Ｆと後面８９Ｓとを有している。前面８９Ｆと後面８９Ｓとの間には、複数のリブが介在している。壁部８９の後面８９Ｓは、本発明の「特定側面」の一例である。図８及び図９に示すように、壁部８９の後面８９Ｓは、第１軸心Ｘ１００に隣接して第１方向Ｄ１に延び、かつ支持面８１Ａに直交する第２方向Ｄ２に延びている。なお、後面８９Ｓは、平坦面に限らず、複数のリブ、凸部又は凹部等によって構成される凹凸面であってもよい。また、本実施形態においては、第１方向Ｄ１は左右方向であり、第２方向Ｄ２は上下方向である。よって、読取ユニット８が回動すれば、第２方向Ｄ２も変化する。後面８９Ｓは、左右方向における中央部分に対して、左右方向の両端部がより後方にせり出すように屈曲している。
【００２３】
図５〜図７に示すように、スキャナハウジング８０は、外装カバー８４を有している。外装カバー８４は、壁部８９を後方から覆っている。外装カバー８４は、壁部８９の上端よりもさらに上方となる位置から、壁部８９の下端よりもさらに下方となる位置まで延設されている。
【００２４】
図８に示すように、スキャナフレーム８７には、第１開口８７Ａと第２開口８７Ｂとが形成されている。第１開口８７Ａは、前後方向及び左右方向に延在する大面積の矩形状の開口である。第２開口８７Ｂは、第１開口８７Ａに対して左方に位置している。第２開口８７Ｂは、前後方向に長く延在し、かつ左右方向に短く延在する細長い矩形状の開口である。
【００２５】
プラテンガラス８１の第１開口８７Ａから露出する上面によって、支持面８１Ａが形成されている。プラテンガラス８１の第２開口８７Ｂから露出する上面によって、読取面８２Ａが形成されている。
【００２６】
図２に示すように、読取ユニット８は、読取センサ３Ｓをスキャナハウジング８０内に収容している。読取センサ３Ｓは、本発明の「読取部」の一例である。読取センサ３Ｓは、キャナハウジング８０内で、前後左右が壁によって区画された移動空間内に収容されている。また、読取センサ３Ｓは、図示しない走査機構に保持されている。読取センサ３Ｓは、走査機構によって、図８に示す支持面８１Ａ及び読取面８２Ａの下方で左右方向に往復動する。読取センサ３Ｓが読取面８２Ａの下で停止する位置は、静止読取位置である。読取センサ３Ｓとしては、ＣＩＳ（Ｃｏｎｔａｃｔ  Ｉｍａｇｅ  Ｓｅｎｓｏｒ）やＣＣＤ（Ｃｈａｒｇｅ  Ｃｏｕｐｌｅｄ  Ｄｅｖｉｃｅ）等の周知の画像読取センサが採用される。
【００２７】
プラテンガラス８１の支持面８１Ａは、静止した状態の原稿の画像を読取センサ３Ｓが読み取る際に、その原稿を下から支持する。読取対象の原稿には、用紙、ＯＨＰシート等であるシートの他、書籍等が含まれる。プラテンガラス８１の読取面８２Ａは、後述する搬送部４によって１枚ずつ搬送されるシートＳＨの画像を静止読取位置に停止した読取センサ３Ｓが読み取る際に、その搬送されるシートＳＨを下から案内する。
【００２８】
図２に示すように、カバー部９には、搬送部４が設けられている。搬送部４は、供給トレイ９１、排出トレイ９２及び図示しない搬送ローラ等を有している。
【００２９】
供給トレイ９１と排出トレイ９２とは、カバー部９の右部分に配設されている。排出トレイ９２は、供給トレイ９１よりも下方に位置している。供給トレイ９１は、搬送部４によって搬送される読取対象のシートＳＨを下から支持する。搬送部４は、供給トレイ９１に支持されたシートＳＨを１枚ずつ分離して搬送経路Ｐ１に沿って順次搬送し、静止読取位置に停止した読取センサ３Ｓの上方を通過させる。排出トレイ９２には、読取センサ３Ｓの上方を通過したシートＳＨが搬送部４によって排出される。
【００３０】
＜画像読取動作＞
この複合機１では、支持面８１Ａに支持された原稿の画像を読み取る場合、図示しない走査機構が作動し、読取センサ３Ｓを支持面８１Ａの左端縁の下方に位置する読取開始位置から右端縁の下方に位置する読取終了位置までの間で左右方向に移動させる。これにより、読取センサ３Ｓは、支持面８１Ａに支持された原稿の画像を読み取る。その後、図示しない走査機構は、読み取りを終えた読取センサ３Ｓを待機位置に復帰させる。
【００３１】
また、この複合機１では、供給トレイ９１上のシートＳＨの画像を読み取る場合、図示しない走査機構が作動し、読取センサ３Ｓを読取面８２Ａの下方の静止読取位置に停止させる。そして、搬送部４が供給トレイ９１上のシートＳＨを搬送経路Ｐ１に沿って搬送すると、そのシートＳＨが読取面８２Ａに接触しながら静止読取位置にある読取センサ３Ｓの上方を通過するので、読取センサ３Ｓがその通過するシートＳＨの画像を読み取る。そして、搬送部４は、画像が読み取られたシートＳＨを搬送し、排出トレイ９２に排出する。
【００３２】
＜第１ヒンジ及び第２ヒンジの具体的構成＞
次に、第１ヒンジ１００及び第２ヒンジ２００について詳しく説明する。なお、第１ヒンジ１００及び第２ヒンジ２００の形状等についての以下の説明では、前後方向及び上下方向について、図５等に示すように、読取ユニット８が第１位置にあり、かつカバー部９が第３位置にある状態を基準とする。
【００３３】
図５〜図８及び図１０〜図１２に示すように、第１ヒンジ１００は、第１支持部１１０、第２支持部１２０及び第１回動部１０１を含んでいる。
【００３４】
第２支持部１２０は、前後方向及び左右方向に比べ、上下方向が長く形成された略直方体形状とされている。また、第２支持部１２０は、左右方向に比べ前後方向が長く形成されている。第２支持部１２０の上端部であって後方の部分には、一対の軸支片１０９が上向きに突設されている。両軸支片１０９は、上下方向及び前後方向に延びる突出片であり、間隔を有して左右方向に対向している。具体的には、軸支片１０９は、第２支持部１２０の上端部からの突出量が大きく形成された第１範囲１０９Ａと、第１範囲１０９Ａに接続し、第２支持部１２０の上端部からの突出量が徐々に小さくなる第２範囲１０９Ｂとを含んでいる。第１範囲１０９Ａは、軸支片１０９の後方の範囲であって、第２範囲１０９Ｂは、軸支片１０９の前方の範囲である。そして、一対の軸支片１０９の第１範囲１０９Ａに、軸支穴１０９Ｈが左右方向にそれぞれ貫設されている。図５に示すように、第２支持部１２０の後面の下部分には、ネジ穴１２０Ｈが前向きに凹設されている。図示は省略するが、第２支持部１２０は、フリーストップ機能を発揮するためのバネやスライドカム等を内蔵している。
【００３５】
図５〜図７に示すように、記録ユニット７は、プリンタハウジング７０を有している。プリンタハウジング７０内の上端部であって、後面７０Ｓに近い位置には、左右一対の第１凹部７８が形成されている。図５〜図７では、左方の第１凹部７８のみを図示し、右方の第１凹部７８の図示を省略しているが、双方は同一構成である。左方の第１凹部７８は、左方の第１ヒンジ１００の第２支持部１２０に対応する位置に配設されている。右方の第１凹部７８は、右方の第１ヒンジ１００の第２支持部１２０に対応する位置に配設されている。
【００３６】
第１凹部７８は、第１軸心Ｘ１００に隣接する位置で、下向きに凹んでいる。第２支持部１２０は、上方から第１凹部７８に嵌入されている。そして、ネジ１２０Ｂがプリンタハウジング７０の後面７０Ｓを通過して、第２支持部１２０のネジ穴１２０Ｈにねじ込まれることにより、第２支持部１２０がプリンタハウジング７０に固定される。
【００３７】
図１０〜図１２に示すように、第１支持部１１０は、左右方向に比べ前後方向が長く形成された略直方体形状の樹脂製部材である。第１支持部１１０は、第１端部１１１、第２端部１１２及び突出部１１７を含んでいる。図１０及び図１２に示すように、第１支持部１１０は、第２支持部における一対の軸支片１０９の間に挿通される。第１端部１１１は、第１支持部１１０における後端部である。第１端部１１１は、一対の軸支片１０９の第１範囲１０９Ａによって左右から挟まれている。一方、第２端部１１２は、第１支持部１１０における前端部である。第２端部１１２は、一対の軸支片１０９の第２範囲１０９Ｂによって左右から挟まれている。
【００３８】
図１２に示すように、第１支持部１１０の第１端部１１１には、挿通穴１１１Ｈが左右方向に貫設されている。挿通穴１１１Ｈには、第１回動軸１０１Ｊが両端部を挿通穴１１１Ｈから突出させた状態で挿入されている。第１回動軸１０１Ｊの両端部は、両軸支片１０９に形成された軸支穴１０９Ｈにそれぞれ挿入されている。第１端部１１１の挿通穴１１１Ｈと、第１回動軸１０１Ｊと、両軸支片１０９の軸支穴１０９Ｈとによって、第１回動部１０１が構成されている。第１回動部１０１は、第１軸心Ｘ１００を形成している。そして、第１支持部１１０は、第１支持部１１０と第２支持部１２０とが接近する位置（図５、図１１等参照）と、第１支持部１１０が第１軸心Ｘ１００を中心として回動し、第２支持部１２０から離間する位置（図６参照）とに変位可能に構成される。
【００３９】
図１０〜図１２に示すように、第１支持部１１０の第２端部１１２は、第１端部１１１から前方に離間する端部である。換言すると、図５等に示すように、第２端部１１２は、壁部８９の後面８９Ｓから読取センサ３Ｓに向かう第３方向Ｄ３に離間している。なお、本実施形態においては、第３方向Ｄ３は前方向であるが、読取ユニット８が回動すれば、第３方向Ｄ３も変化する。
【００４０】
図１０〜図１２に示すように、第２端部１１２は、上部分が下部分よりも左右方向の幅が大きく形成された略Ｔ字断面形状であり、第１端部１１１に対し前方に向かって延びている。この第２端部１１２の上部分における左端及び右端は、一対の軸支片１０９の第２範囲１０９Ｂにそれぞれ上方から対向している。また、第２端部１１２の上部分（左右方向の幅が大きく形成された部分）は、下部分よりもさらに前方に略平板状に突出している。この略平板状に突出する部分が被収容部１１５を形成している。
【００４１】
被収容部１１５の上面１１５Ａは、第１端部１１１の上面１１１Ａと略面一な平坦面である。図１１に示すように、被収容部１１５の上下方向の長さＬ１１５は、第１端部１１１の上下方向の長さＬ１１１よりも短く設定されている。
【００４２】
突出部１１７は、第１回動部１０１よりもさらに後方となる位置で、第１端部１１１の上面１１１Ａから上向きに、すなわち、第２方向Ｄ２においてカバー部９に接近する方向に突設されている。突出部１１７は、略平板状の突出片であり、第１支持部１１０の左右方向の長さと同程度の長さを有している。突出部１１７には、前後方向に貫通する挿通穴１１７Ｈが形成されている。
【００４３】
図５及び図９等に示すように、スキャナベース８５は、収容部１８０を有している。収容部１８０は、スキャナベース８５の壁部８９の後面８９Ｓであって、後方にせり出した左右両端部にそれぞれ設けられている。収容部１８０は、壁部８９の後面８９Ｓから前向きに、すなわち、後面８９Ｓから読取センサ３Ｓに向かう第３方向Ｄ３に凹んでいる。収容部１８０の前方部分は、被収容部１１５に対応する略直方体形状の収容空間１８０Ｃを区画している。具体的には、上下、左右、前方に壁が設けられることで、収容空間１８０Ｃが形成されている。収容部１８０の内面のうちの下を向く平坦面は、当接面１８０Ａとされている。
【００４４】
収容部１８０の上下方向の内幅は、図１１に示す被収容部１１５の上下方向の長さＬ１１５よりも僅かに大きくされている。収容部１８０の左右方向の内幅も、図１２に示す被収容部１１５の左右方向の幅Ｗ１１５よりも僅かに大きくされている。
【００４５】
図５及び図９等に示すように、スキャナベース８５において、壁部８９の後面８９Ｓにおける収容部１８０よりも上方の位置には、ねじ穴８９Ｈが前向きに凹設されている。
【００４６】
第１支持部１１０は、以下のようにして、読取ユニット８のスキャナベース８５に支持されている。すなわち、図５等に示すように、第１支持部１１０の被収容部１１５がスキャナベース８５の壁部８９の後面８９Ｓから収容部１８０に挿入されて、収容部１８０の前方部分の収容空間１８０Ｃに被収容部１１５が収容される位置まで挿入される。この状態において、被収容部１１５は、収容部１８０に嵌合固定され、上下方向及び左右方向において収容部１８０に挟持される。また、被収容部１１５の上面１１５Ａと、収容部１８０の当接面１８０Ａとは、平坦な面同士が広い範囲で当接する。
【００４７】
そして、被収容部１１５が収容部１８０に挿入され、収容部１８０の前方部分の収容空間１８０Ｃに被収容部１１５が収容される位置まで挿入されると、第１支持部１１０の突出部１１７が壁部８９の後面８９Ｓに当接する位置になる。この状態で、ネジ１６１が後方から突出部１１７の挿通穴１１７Ｈを通過して、すなわち、第３方向Ｄ３において突出部１１７の挿通穴１１７Ｈを通過して、壁部８９の後面８９Ｓのネジ穴８９Ｈにねじ込まれる。これにより、ネジ１６１は、突出部１１７とスキャナベース８５とを結合し、突出部１１７がスキャナベース８５に対して第３方向Ｄ３とは反対方向、すなわち、後方に離間することを規制する。ネジ１６１は、本発明の「結合手段」の一例である。
【００４８】
外装カバー８４は、ネジ１６１が突出部１１７とスキャナベース８５とを結合した後に、壁部８９に取り付けられて、突出部１１７及びネジ１６１を外から覆う。よって、突出部１１７及びネジ１６１は、外部からは見えない状態となる。
【００４９】
図５〜図７に示すように、第２ヒンジ２００は、第３支持部２３０、第４支持部２４０及び第２回動部２０２を含んでいる。
【００５０】
第４支持部２４０は、前後方向及び左右方向に比べ、上下方向が長く形成された略直方体形状とされている。また、第４支持部２４０は、左右方向に比べ前後方向が長く形成されている。第４支持部２４０の上端部であって後方の部分には、一対の軸支片２０９が上向きに突設されている。図５等では、紙面奥側の軸支片２０９を図示し、紙面手前側の軸支片２０９の図示は省略している。また、図示は省略するが、第４支持部２４０は、フリーストップ機能を発揮するためのバネやスライドカム等を内蔵している。
【００５１】
図５〜図７に示すように、スキャナハウジング８０の後端部には、左右一対の第２凹部８８が形成されている。第２凹部８８は、本発明の「凹部」の一例である。スキャナハウジング８０を構成するスキャナベース８５において、第２凹部８８は、読取センサ３の移動空間を区画する壁８５Ｂと壁部８９の前面８９Ｆとの間に形成され、上方が開放されている。図５〜図７では、左方の第２凹部８８のみを図示し、右方の第２凹部８８の図示を省略しているが、双方は同一構成である。左方の第２凹部８８は、左方の第２ヒンジ２００の第４支持部２４０に対応する位置に配設されている。右方の第２凹部８８は、右方の第２ヒンジ２００の第４支持部２４０に対応する位置に配設されている。図８に示すように、スキャナハウジング８０を構成するスキャナフレーム８７において、第２凹部８８に対応する箇所には、第２凹部８８の開口形状に合わせた開口８７Ｃが形成されている。
【００５２】
図５〜図７に示すように、第２凹部８８は、第２軸心Ｘ２００に隣接する位置で、下向きに凹んでいる。第４支持部２４０は、上方から第２凹部８８に嵌入されて、上下方向に移動可能にスキャナハウジング８０に支持されている。第４支持部２４０は、支持面８１Ａに支持される原稿が厚い書籍等である場合に、原稿の厚みに応じて、第２凹部８８内で上方に移動する。
【００５３】
第３支持部２３０は、左右方向に比べ、前後方向が長く形成された略直方体形状の樹脂製部材である。第３支持部２３０は、第４支持部２４０の上部に位置している。また、第３支持部２３０は、第４支持部２４０の両軸支片２０９と左右方向から見て重なる位置にある。そして、第３支持部２３０と、第４支持部２４０の両軸支片２０９とに、第２回動軸２０２Ｊが挿入されている。第２回動軸２０２Ｊ、第３支持部２３０、及び第４支持部２４０の両軸支片２０９によって、第２回動部２０２が構成されている。第２回動部１０２は、第２軸心Ｘ２００を形成している。そして、第３支持部２３０は、第３支持部２３０と第４支持部２４０とが接近する位置（図５参照）と、第３支持部３０が第２軸心Ｘ２００を中心として回動し、第４支持部２４９から離間する位置（図７参照）とに変位可能に構成される。
【００５４】
第３支持部２３０は、その前端部が複数のネジ２３０Ｂによってカバー部９を構成するフレーム部材に固定される。これにより、第３支持部２３０は、カバー部９に支持されている。
【００５５】
本実施例の構成では、第１支持部１１０をスキャナベース８５の底面に固定するために、従来のように、第１支持部１１０の下面からスキャナベース８５の底面まで到達するネジを挿通させるといった方法を用いる必要がない。また、ネジによる固定の強度を確保するために、スキャナベース８５の底面の厚みを大きく確保しておく必要がない。このため、図５に示すように、第一支持部１１０の上方に位置するスキャナベース８５の板状部分８６の厚みＴ８６を薄く形成できる。一方、本実施例の構成においては、第１支持部１１０とスキャナベース８５との結合箇所は、第２ヒンジ２００及び第２凹部８８が設けられる位置に対して後方にずれた位置となっている。具体的には、第４支持部２４０における第２軸心Ｘ２００から第２方向Ｄ２に離間する端部、すなわち、下端部２４２は、第３方向Ｄ３から見て、ネジ１６１と重なっている。つまり、第１支持部１１０とスキャナベース８５との結合箇所が、第１ヒンジ１００、第２ヒンジ２００近傍の上下方向の長さに影響を与えない位置になっている。
【００５６】
また、本実施例では、第１回動部１０１と突出部１１７とが第３方向Ｄ３に離間する第１間隔Ｗ１は、第４支持部２４０と外装カバー８４とが第３方向Ｄ３に離間する第２間隔Ｗ２に近い大きさに設定されている。そして、壁部８９は、第４支持部２４０と外装カバー８４との間に位置している。壁部８９の厚みＴ８９は、第２間隔Ｗ２に近い大きさに設定されている。これにより、壁部８９の肉厚が十分に確保される。
【００５７】
図４に示すように、第１ヒンジ１００の第２支持部１２０と、第２ヒンジ２００の第４支持部２４０とは、上下方向に重なる位置に配置されており、前後方向及び左右方向において、双方が殆どずれていない。
【００５８】
＜作用効果＞
実施例の複合機１では、図５及び図９等に示すように、スキャナハウジング８０の収容部１８０は、第３方向Ｄ３である前方に凹んでいる。図５等に示すように、第１支持部１１０の第２端部１１２は、第１端部１１１から前方に離間している。そして、第２端部１１２の前端部に形成された被収容部１１５が収容部１８０に収容され、収容部１８０の収容空間１８０Ｃに嵌合固定される。つまり、この複合機１では、スキャナベース８５に第１支持部１１０の第２端部１１２が挟持されるように構成されている。このため、第１支持部１１０をスキャナベース８５の底面に、具体的には板状部分８６に、ネジによって固定する必要がない。さらに、スキャナベース８５の底面において、ネジ固定に必要な厚みを省略することができ、板状部分８６の厚みＴ８６を薄くできる。その結果、スキャナハウジング８０を上下方向において薄くできる。
【００５９】
したがって、実施例の複合機１では、上下方向の小型化を実現できる。また、第１ヒンジ１００の組付け時にネジの固定作業を簡略できる。具体的には、ネジ１６１によって突出部１１７とスキャナベース８５とを結合する作業を行うだけでよい。その結果、組付作業を簡素化できる
【００６０】
また、この複合機１では、図５等に示すように、ネジ１６１が突出部１１７とスキャナベース８５とを結合することにより、被収容部１１５が収容部１８０から抜けることを防止できる。このため、スキャナベース８５に第１支持部１１０の第２端部１１２が挟持される状態を確実に維持できる。
【００６１】
さらに、この複合機１では、ネジ１６１は、前向きの方向である第３方向Ｄ３において突出部１１７を通過してスキャナハウジング８０のスキャナベース８５にねじ込まれている。これにより、ネジ１６１の挿通方向が上下方向と交差するので、ネジ１６１による第１支持部１１０とスキャナベース８５との結合が、スキャナハウジング８０の上下方向の小型化の妨げとなり難い。
【００６２】
また、この複合機１では、第２ヒンジ２００の第４支持部２４０の下端部２４２は、第３方向Ｄ３から見て、ネジ１６１と重なっている。つまり、第１支持部１１０をスキャナベース８５の板状部分８６に、ネジ１６１によって固定する必要がなくなっている。このため、スキャナベース８５の底面近くまで、第２ヒンジ２００の第４支持部２４０を挿通させる第２凹部８８を深く形成することができる。よって、スキャナベース８５が第２ヒンジ２００の第４支持部２４０を安定して支持でき、その結果、第２ヒンジ２００がカバー部９を安定した状態で支持できる。
【００６３】
さらに、この複合機１では、図４に示すように、第１ヒンジ１００の第２支持部１２０と、第２ヒンジ２００の第４支持部２４０とは、上下方向に重なる位置に配置されているので、左右方向である第１方向Ｄ１の小型化に有効である。
【００６４】
また、この複合機１では、図５等に示すように、読取ユニット８の外装カバー８４によって、突出部１１７及びネジ１６１が外から覆われている。このため、突出部１１７及びネジ１６１が外から見えないため、外観が良好となる。
【００６５】
さらに、この複合機１では、図５に示すように、第１回動部１０１と突出部１１７とが第３方向Ｄ３に離間する第１間隔Ｗ１は、第４支持部２４０と外装カバー８４とが第３方向Ｄ３に離間する第２間隔Ｗ２に近い大きさに設定されている。そして、第４支持部２４０と外装カバー８４との間に位置する壁部８９は、第２間隔Ｗ２に近い厚みＴ８９に設定されている。これにより、壁部８９の肉厚が十分に確保されるので、第２ヒンジ２００の第４支持部２４０を挿通させる第２凹部８８を壁部８９によって補強できる。
【００６６】
また、この複合機１では、図１１に示すように、被収容部１１５の上下方向の長さＬ１１５は、第１端部１１１の上下方向の長さＬ１１１よりも短く設定されている。このため、被収容部１１５が上下方向において嵩張らないので、スキャナベース８５において収容部１８０を形成するためのスペースを大きく確保する必要がない。その結果、スキャナベース８５、さらにはスキャナハウジング８０の上下方向の小型化を確実に実現できる。
【００６７】
さらに、この複合機１では、図５及び図９等に示すように、収容部１８０の当接面１８０Ａと、被収容部１１５の上面１１５Ａとは、平坦な面同士が広い範囲で当接する。このため、読取ユニット８の回動時に、第１ヒンジ１００の第１支持部１１０にかかる負荷を当接面１８０Ａで好適に受けることができる。その結果、第１ヒンジ１００の第１支持部１１０の破損や、スキャナベース８５における収容部１８０の周辺の破損を抑制できる。
【００６８】
（変形例）
図１３に示すように、実施例の突出部１１７及びネジ１６１の代わりに、壁部８９の壁面８９Ｓに弾性変形可能な鍵爪１６２を設け、第１支持部１１０の第１端部１１１から上向きに突出する突出片１１８Ａに鍵爪１６２を係合させてもよい。また、第１支持部１１０の第１端部１１１から後向きに突出する突出片１１８Ｂに外装カバー８４を当接させてもよい。これらの構成によっても、被収容部１１５が収容部１８０から抜けることを防止できる。
【００６９】
また、図１３及び図１４に示すように、収容部１８０を後方に延設し、その後方の延設部分１８０Ｅを略Ｔ字断面形状として、被収容部１１５の収容部１８０に対する嵌合長さを前後方向に長くしてもよい。
【００７０】
以上において、本発明を実施例に即して説明したが、本発明は上記実施例に制限されるものではなく、その趣旨を逸脱しない範囲で適宜変更して適用できることはいうまでもない。
【産業上の利用可能性】
【００７１】
本発明は複合機等に利用可能である。
【符号の説明】
【００７２】
１…複合機、８０…筐体（スキャナハウジング）、８１Ａ…支持面
３Ｓ…読取部（読取センサ）、８…読取ユニット、５…画像形成部
７…記録ユニット、Ｘ１００…第１軸心、１００…第１ヒンジ
１１０…第１支持部、１２０…第２支持部、１０１…第１回動部
８９Ｓ…特定側面（壁部の後面）、１８０…収容部、１１１…第１端部
１１２…第２端部、１１５…被収容部、１１７…突出部
Ｄ１…第１方向、Ｄ２…第２方向、Ｄ３…第３方向
１６１、１６２…結合手段（１６１…ネジ、１６２…鍵爪）
９…カバー部、Ｘ２００…第２軸心、２００…第２ヒンジ、２３０…第３支持部
２４０…第４支持部、２０２…第２回動部、８８…凹部（第２凹部）
２４２…第４支持部における第２軸心から第２方向に離間する端部（下端部）
８４…外装カバー、Ｗ１…第１間隔、Ｗ２…第２間隔、８９…壁部
Ｌ１１５…被収容部の第２方向の長さ、Ｌ１１１…第１端部の第２方向の長さ
Ｔ８９…壁部の厚み、１１５Ａ…被収容部の上面、１８０Ａ…当接面
【図１】
0006582884.tif 000002
【図２】
0006582884.tif 000003
【図３】
0006582884.tif 000004
【図４】
0006582884.tif 000005
【図５】
0006582884.tif 000006
【図６】
0006582884.tif 000007
【図７】
0006582884.tif 000008
【図８】
0006582884.tif 000009
【図９】
0006582884.tif 000010
【図１０】
0006582884.tif 000011
【図１１】
0006582884.tif 000012
【図１２】
0006582884.tif 000013
【図１３】
0006582884.tif 000014
【図１４】
0006582884.tif 000015